(57)【特許請求の範囲】
【請求項１】
本体と、前記本体に設けた洗浄槽と、食器等の被洗浄物を収納し、前記洗浄槽に収容する食器カゴと、前記洗浄槽に設けた開口部を開閉する扉体とを備え、前記開口部は、前記本体の前面と上面に開口するとともに、前記本体の上部形状を前面から背面にかけて上方へ膨出する略円弧状に形成し、前記扉体は、前記洗浄槽の上面に設けられた開口部を前記本体上部の外側へ開く上扉体と、前記洗浄槽の前面に設けられた開口部を下方へ開く下扉体を備えるとともに、前記上扉体に、前記開口部を閉じたときに上方に位置する先端近傍部位の内面に横長に開口する開放部と、前記開放部の上方に内方に開口を有する溝を形成し、前記開放部にその下部の一部を開口するように蓋体を配設し、前記溝に接着剤を塗布し前記上扉体と前記蓋体とをシールさせるように構成し、前記扉体を完全開放状態とした時に、前記上扉体は前記開放部を含む先端部が前記本体の頂部を通り越して背面側下方に回りこみ、前記開口部を閉じた状態とは上下が逆転して前記開放部は前記上扉体の下部に位置するようにして、前記上扉体の内面をつたって流れる水滴を前記開放部内に取り込むように構成した食器洗い機。
【請求項２】
蓋体に第１のリブを設け、上扉体の溝に前記第１のリブを配設し、ラビリンス構成とした請求項１記載の食器洗い機。
【請求項３】
扉体の開時に上扉体と蓋体間の空間に水を流し込む第２のリブを蓋体に配設した請求項１または２に記載の食器洗い機。
【請求項４】
開放部内に溜まった水滴は、扉体を閉じる時に本体前部の開口部より洗浄槽内に戻されるように構成した請求項１〜３のうちいずれか一項に記載の食器洗い機。
【発明の詳細な説明】
【技術分野】
【０００１】
本発明は、洗浄水の噴射により食器等の洗浄を行う食器洗い機に関する。
【背景技術】
【０００２】
従来、この種の食器洗い機は、図９に示すように構成していた。以下、その構成について説明する。
【０００３】
食器カゴへの食器等のセットと取り出しを容易にするために、本体１０１に設けられた
開口部１０２は、本体１０１の前面にその上部が後方へ傾斜するように設けられている。前記開口部１０２を開閉する扉体は、前記本体１０１上部の外側へ開く上扉体１０３と、前記開口部１０２を下方へ開く下扉体１０４で構成されている。前記本体１０１内には、食器等をセットする食器カゴ１０５が、開かれた前記開口部１０２から本体１０１の前方に引き出し可能に収容されている（例えば、特許文献１参照）。
【特許文献１】特開２００２−２１９０８３号公報
【発明の開示】
【発明が解決しようとする課題】
【０００４】
従来の食器洗い機は、本体１０１上部の開口がほとんどないため、扉の開成時に上扉体１０３が開口部１０２を少しでも覆わないよう突出量を少なくするように構成していた。扉の開成時に上扉体１０３の突出量を少なくすることは、すなわち下扉体１０４が長くなることであり、扉の開成時の下扉体１０４の本体１０１前方への飛び出し量は多くなる。そして、台所のシンクサイドに食器洗い機を設置する場合、本体１０１は置けるが、扉の開成時に下扉体１０４が水道栓に接触するため食器カゴ１０５を引き出しづらくなり、食器のセット性を著しく損なうという課題があった。また逆に、上扉体１０３の長さを長くする場合、扉を開いた時に開口部１０２の上端部を上扉体１０３が覆うために、特に上段カゴへの食器のセットと取り出しが行い難くなるという課題に加え、洗浄途中などの扉体の開閉動作により水滴が本体に滴下するという課題があった。
【０００５】
本発明は、上記従来の課題を解決するもので、食器カゴへの食器等のセットと取り出しを容易にして、食器のセット性を格段に向上させるとともに、扉体開閉時に扉体をつたって流れる水滴を蓋体の穴より上扉体内に取り込み、本体に水滴が垂れることを防止し、水滴が本体をつたってシンクにたどり着かないため、本体およびシンクを清潔に保つとともに、製品の背面部に配設されている電源コード部への水滴付着をなくし安全性を向上させることを目的としている。
【課題を解決するための手段】
【０００６】
上記の目的を達成するために、本発明の食器洗い機は、本体の上部形状を前面から背面にかけて上方へ膨出する略円弧状に形成し、扉体は、洗浄槽の上面に設けられた開口部を前記本体上部の外側へ開く上扉体と、前記洗浄槽の前面に設けられた開口部を下方へ開く下扉体を備え、前記上扉体に、前記開口部を閉じたときに上方に位置する先端近傍部位の内面に横長に開口する開放部と、前記開放部の上方に内方に開口を有する溝を形成し、前記開放部にその下部の一部を開口するように蓋体を配設し、前記溝に接着剤を塗布し上扉体と蓋体とをシールさせるように構成し、前記扉体を完全開放状態とした時に、前記上扉体は前記開放部を含む先端部が前記本体の頂部を通り越して背面側下方に回りこみ、前記開口部を閉じた状態とは上下が逆転して前記開放部は前記上扉体の下部に位置するようにして、前記上扉体の内面をつたって流れる水滴を前記開放部内に取り込むように構成したものであり、本体上部の開口を大きくとることができ、本体上部からの食器カゴへの食器等のセットと取り出しを容易にすることができるとともに、扉体開閉時に扉体をつたって流れる水滴を蓋体の穴より上扉体の開放部内に取り込み、略円弧状の本体に水滴が垂れることを防止し、水滴が本体をつたってシンクにたどり着かないため、本体およびシンクを清潔に保つとともに、製品の背面部に配設されている電源コード部への水滴付着をなくし安全性を向上させることができる。
【発明の効果】
【０００７】
本発明の食器洗い機は、食器カゴへの食器等のセットと取り出しを容易にすることができるとともに、扉体開閉時に扉体をつたって流れる水滴を蓋体の穴より上扉体内に取り込み、略円弧状の本体に水滴が垂れることを防止し、水滴が本体をつたってシンクにたどり着かないため、本体およびシンクを清潔に保つとともに、製品の背面部に配設されている電源コード部への水滴付着をなくし安全性を向上させることができる。
【発明を実施するための最良の形態】
【０００８】
第１の発明は、本体と、前記本体に設けた洗浄槽と、食器等の被洗浄物を収納し、前記洗浄槽に収容する食器カゴと、前記洗浄槽に設けた開口部を開閉する扉体とを備え、前記開口部は、前記本体の前面と上面に開口するとともに、前記本体の上部形状を前面から背面にかけて上方へ膨出する略円弧状に形成し、前記扉体は、前記洗浄槽の上面に設けられた開口部を前記本体上部の外側へ開く上扉体と、前記洗浄槽の前面に設けられた開口部を下方へ開く下扉体を備えるとともに、前記上扉体に、前記開口部を閉じたときに上方に位置する先端近傍部位の内面に横長に開口する開放部と、前記開放部の上方に内方に開口を有する溝を形成し、前記開放部にその下部の一部を開口するように蓋体を配設し、前記溝に接着剤を塗布し前記上扉体と前記蓋体とをシールさせるように構成し、前記扉体を完全開放状態とした時に、前記上扉体は前記開放部を含む先端部が前記本体の頂部を通り越して背面側下方に回りこみ、前記開口部を閉じた状態とは上下が逆転して前記開放部は前記上扉体の下部に位置するようにして、前記上扉体の内面をつたって流れる水滴を前記開放部内に取り込むように構成したものであり、本体上部の開口を大きくとることができ、本体上部からの食器カゴへの食器等のセットと取り出しを容易にして、食器のセット性を格段に向上させることができるとともに、扉体開閉時に扉体をつたって流れる水滴を蓋体の穴より上扉体の開放部内に取り込み、略円弧状の本体に水滴が垂れることを防止し、水滴が本体をつたってシンクにたどり着かないため、本体およびシンクを清潔に保つとともに、製品の背面部に配設されている電源コード部への水滴付着をなくし安全性を向上させることができる。
【０００９】
第２の発明は、第１の発明において、蓋体に第１のリブを設け、上扉体の溝に前記第１のリブを配設し、ラビンリンス構成としたものであり、扉体と蓋体との接着面積が増え接着強度をあげることができるとともに、接着剤の塗布のバラツキにかかわらずラビリンス構成により開放部に流れ込んだ水を漏らすことなく開放部内に溜めておくことができるため、品質を向上させることができる。
【００１０】
第３の発明は、第１または第２の記載の発明において、扉体の開時に上扉体と蓋体間の空間に水を流し込む第２のリブを蓋体に配設したものであり、上扉体に付着した水滴が上扉体の壁をつたって上扉体の先端方向に流れるため、蓋体に設けたリブにより水滴を受け止め、受け止めた水滴を上扉体と蓋体で構成された開放部内に流れ込むような構成をしているため、流れる水滴を効率よく開放部内に回収することができ、本体への水滴落下を防止することができる。
【００１１】
第４の発明は、第１または第２の記載の発明において、開放部内に溜まった水滴は、扉体を閉じる時に本体前部の開口部より洗浄槽内に戻されるように構成したものであり、扉体開閉時に本体への水滴落下を防止することができる。
以下、本発明の実施の形態について、図面を参照しながら説明する。なお、本実施の形態によって本発明が限定されるものではない。
【００１２】
（実施の形態１）
図１に示すように、１は食器洗い機の本体であり、この本体１を外側方から見たときの上部の外郭形状は、前面１ａから背面１ｂにかけて上方へ膨出する略円弧状に形成した円弧状部１ｃを有している。また、前面形状は略平面で形成した平面部１ｄを有している。
【００１３】
２は食器等の被洗浄物を収納する食器カゴ３を収容する洗浄槽で本体１に内装されている。洗浄槽２の上部形状は、本体１上部の円弧状部１ｃの内面に沿うように上面から背面にかけて上方へ膨出する略円弧状に形成し、洗浄槽２には、洗浄槽２を前面から上面にかけて開口する開口部４を設けるとともに、この開口部４を閉塞する開閉自在な扉体５を備えている。
【００１４】
扉体５は、開口部４の洗浄槽２の上面に設けられた部分を本体１上部の外側へ開く上扉体６と、前記開口部４の洗浄槽２の前面に設けられた部分を下方へ開く下扉体７で構成されており、上扉体６は洗浄槽２の内部を視認するための半透明な窓８を備えている。上扉体６の縦断面形状は、本体１の上面形状と同じく外方へ膨出する略円弧状に形成しており、本体１上部の円弧状部１ｃの外郭に沿うように移動して開口部４を開閉する。
【００１５】
食器カゴ３は、上段カゴ９と下段カゴ１０の上下二段で構成されており、上段カゴ９は、下段カゴ１０と構成部材を共用している。そして、食器カゴ３は、側面に摺動部１１を設けるとともに、洗浄槽２の内側面に設けた支持部１２に対して前後方向に摺動可能に支持されており、下扉体７を開いた時に下扉体７上に引き出し可能である。１３は、洗浄ポ
ンプ１４により加圧した洗浄水を食器に向けて噴射する洗浄ノズルである。洗浄槽２の下部には、洗浄水を加熱するヒータ１５を配置している。１６は洗浄槽２の下部に設けられた制御装置であり、洗浄ポンプ１４やヒータ１５等を制御する。
【００１６】
また、図２〜図４に示すように、開口部４は、本体１の前面１ａと、前面１ａから上面にかけて外方へ膨らむように設けた円弧状部１ｃを含むように形成されており、開口部４の上端部３９は、本体１の前面から上方へ膨出する略円弧状の本体１上面の頂部１７まで開口する構成としており、本体１の上部面積の前面１ａ側の略半分が開口している（図４に示す線分Ｃは、頂部１７を通る鉛直線で、開口部４の上端部３９はその近傍に位置する）。洗浄槽２の前面から上面にかけて設けられた開口部４を覆う上扉体６と下扉体７の係合部１８は、本体１の前面に形成した平面部１ｄに設けており、上扉体６側に設けたシール部材２１と、下扉体７側に設けたシール受け部２２によって、上扉体６と下扉体７を水密にシールする構成を有する。
【００１７】
上扉体６および下扉体７にはそれぞれ上扉体支持部２３、下扉体支持部２４が具備されており、洗浄槽２の側面に設けられた上扉体回動軸２５、下扉体回動軸２６により回動自在に軸支されている。上扉体支持部２３上には移動軸２７が設けられるとともに、洗浄槽２の側面には移動軸２７が移動する移動溝２８が設けられており、移動軸２７は移動溝２８に対して回動自在に移動する。上扉体６と下扉体７は第１の連動部材２９と第２の連動部材３０によって連結され、下扉体７の下方への回動に連動して上扉体６も上方へ回動する構成としている。
【００１８】
第１の連動部材２９の一端は下扉体７に固定され、他端は連動部材間回動軸３１を設け、第２の連動部材３０の一端に設けられた連動部材間回動穴３２との間で回動自在に軸支されている。第２の連動部材３０の他端に設けられた上扉体連動穴３３は、上扉体支持部２３に設けられた上扉体連動回動軸３４との間で回動自在に軸支されている。開口部４を開いた時の扉体５の位置規制を行うために、第２の連動部材３０にストッパー部３５を設け、このストッパー部３５が当接するストッパー受け部３６を本体１の側面に設けている。
【００１９】
上扉体支持部２３は、その本体１から突出する部分が、上扉体６を閉じたときに上扉体６の側面に設けられたカバー（収納部）３７により覆われて収納されるように構成している。上扉体支持部２３、第１の連動部材２９、第２の連動部材３０、移動溝２８など、扉体５を支持し回動させる機構部品は、本体１の側部の両側に設けられており本体側面ボディ３８により覆われるものである。また、上扉体支持部２３は、扉体５の開口動作終了時に本体１の上方へ膨出する円弧状部１ｃと交差する位置（図３に示す点Ｄ）が、開口部４の上端部３９より後方になるように構成している。
【００２０】
上扉体６および下扉体７は、連動構成を有するため、下扉体回動軸２６を中心に下扉体を図３の矢印イ方向へ下方に回動操作することにより、上扉体６もこれに連動して矢印ロ方向へ回動し開口部４が開かれる。また、開口部４を開いた時、上扉体６は上扉体回動軸２５を中心に本体の上方後方へ移動するが、移動終了時点では上扉体支持部２３が開口部４の上端部３９より後方まで移動した時点でストッパー部３５がストッパー受け部３６に当接して上扉体６および下扉体７は停止し、それ以上移動することはない完全開放状態となる。
【００２１】
図５、図６に示すように上扉体６は、洗浄槽２の開口部４を閉じたときに（図５（ａ）参照）上方に位置する先端近傍部位の内面に下端から斜め後方に向けて横長に開口する開放部４２と、開放部４２の上方に内方に開口を有する溝４３を設け、その開放部４２の下部の一部を複数の穴４５で開口させて開放部４２および溝４３を覆うように蓋体４１を配
設して上扉体６に取り付けている。そして、蓋体４１を上扉体６に取り付ける際に洗浄水に対するシール性を確保するために、上扉体６の溝４３に接着剤４４を塗布し取り付ける構成としている。また、開放部４２の外気に臨む前面の一部には、洗浄槽２内の空気を機外に排気する格子状の排気窓４０を配設している。
【００２２】
そして、前述の扉体５の完全開放状態では、上扉体６は、図５（ｂ）に示すような姿勢および位置を取る。このとき、開放部４２を含む上扉体６の先端部は、本体１の頂部１７を通り越して背面側下方に回りこみ、開口部４を閉じた状態（図５（ａ））とは、上下が逆転し、開放部４２は上扉体６の下部に位置するようになる。
【００２３】
また、図７に示すように、蓋体４１の上扉体６に設けた溝４３と対向する箇所には、ラビリンス構成になるようにリブ４８（第１のリブ）が配置されている。また、図６、図８に示すように、横長形状とした蓋体４１の左右両端部には、扉体５の開時に上扉体６と蓋体４１間の空間に水滴４６を流し込むリブ４７（第２のリブ）を他の部分の下端より長く延設している。このリブ４７は、開放部４２の複数の穴４５のいくつかに隣接させて設けてある。
【００２４】
次に、上記実施の形態における動作、作用について説明する。食器洗い機を設置する場合、キッチンの側壁に沿って食器洗い機の正面を手前に向けて置く場合と、側面を手前に向けて置く場合がある。最近のキッチンは、浴槽や給湯器などの給湯設備を集中的に制御するコントローラをキッチンの側壁に設置しているのが一般的である。食器洗い機をキッチンに設置する場合、食器洗い機の本体１の高さより高い位置にコントローラが設置されている場合は問題ないが、コントローラが少し低く設置されている場合は、コントローラに設けられた表示部の視認性やスイッチ類の操作性を確保するために、食器洗い機を壁面から離して設置しなければならず、キッチンでの作業性を損なう。そして、コントローラがさらに低く設置されている場合は、食器洗い機を設置することができない。
【００２５】
しかしながら、本発明の構成によれば、本体１の上部形状を前面から背面にかけて上方へ膨出する略円弧状に形成しているため、コントローラが低く設置されている場合でも、コントローラに接触することなく本体１を壁面に近づけて設置できる。また、使用者は上方から本体１越しにコントローラを視認することができるため、表示部の視認性が得られるとともに、スイッチ類の操作性も確保される。
【００２６】
このように本発明によれば、浴槽や給湯器などのコントローラを既設したキッチンにおいて、コントローラの視認性および操作性を確保し、設置性を高めることができる。
【００２７】
また、本体１の上部形状および上扉体６の上部形状を上方へ膨出する略円弧状に形成し、上扉体６を本体１上部の円弧状部１ｃに沿うように移動して洗浄槽２の前面から上面にかけて設けられた開口部４を開閉する構成としたため、開口部４を開いた時の本体１の高さを低く抑えることができ、吊戸棚等が既設しているなど、設置空間の高さが低い場所への設置を容易することができる。
【００２８】
また、従来の食器洗い機では、洗浄槽２の背面から上面にかけての本体の側方から見た形状が略直角になっていたので、洗浄時に洗浄槽２内部の背面から上面へ向けて流れる洗浄水が上面に届きにくく、上面から食器に降り注ぐ洗浄水が少ないため、食器の表面に付着した汚れの洗浄性能が低いが、本発明の構成によれば、洗浄槽２上面への洗浄水量が増加するため、上面から食器に降り注ぐ洗浄水が多くなり、食器の表面に付着した汚れを確実に洗い流すことができる。
【００２９】
また、開口部４は、本体１の前面１ａと、前面１ａから上面にかけて外方へ膨らむよう
に設けた円弧状部１ｃを含むように形成したことにより、食器カゴ３への食器等のセットと取り出しを容易にして食器のセット性が向上するとともに、浴槽や給湯器等のコントローラを既設したキッチンへの設置が容易になる。
【００３０】
また、洗浄槽２の上面に設けられた開口部４の上端部３９を、上方へ膨出する円弧状部１ｃの頂部１７の近傍に位置するように形成したことにより、本体１の上部面積の略半分を開口させることができる。このため、上段カゴ９の奥までの視野が広がるとともに、食器の出し入れを容易に行うことができる。特に、皿類５０の重心と上方へ膨出する円弧状部１ｃの中心の本体１前面からの距離をほぼ等しくなるように食器カゴ３を構成しているため、大皿等は洗浄槽２の開口部４の縁に接触することなく容易に出し入れできる。
【００３１】
このように本発明によれば、本体１上面の前面側の略半分までを開口することで、食器カゴ３への食器等のセットと取り出しを容易にすることができ、食器のセット性を向上させることができる。
【００３２】
また、開口部４は本体１の前面と上面を開放する構成のため、この開口部４を覆う扉体５は、同程度の本体寸法の従来の食器洗い機より上下方向に長くなる。このため、一枚扉で上開き構成の場合は、扉が邪魔になり食器の取り出しができない。また、下開き構成の場合は、正面置きであれば扉が本体から手前に開かれて、キッチンカウンタ上の調理スペースがなくなり、縦置きであれば、水道栓に扉が当たって扉を完全に開口することができなくなる。
【００３３】
しかしながら、本発明の構成によれば、扉体５を上扉体６と下扉体７の二枚扉で構成しており、洗浄槽２の前面から上面にかけて設けられた開口部４の平面部１ｄに扉体５の分割位置を設けて係合部１８を構成することにより、開口部４を開いた時の下扉体７の本体１前方への突出量を少なくして本体１設置時の本体１前方の設置奥行き寸法を小さくすることができ、水道栓などが本体１の近傍に存在する場合でも、本体の設置性を向上させることができる。
【００３４】
また、上扉体支持部２３は、扉体５の開口動作終了時に本体１の上方へ膨出する円弧状部１ｃと交差する位置（図３の点Ｄ）が、開口部４の上端部３９より後方になるように構成している。狭い台所のシンクサイドに食器洗い機を設置する場合、洗浄槽２の開口部４を使用者の対面に置く正面置きよりも、図３に示すように台所の右あるいは左のシンクサイドに縦置き設置される場合の方が多い。この縦置き設置の場合、扉体５を開いて食器を出し入れするときは、開口部４の斜め前方から行うが、本発明の上扉体支持部２３は、上扉体６を閉じたときにカバー３７内に収容されるように上方へ膨出する略円弧形状に形成されており、上扉体６を開いたときは、上扉体支持部２３が上方へ膨出する円弧状部１ｃと交差する位置より後方へと変位し、上扉体支持部２３が開口部４を妨げない構成のため、視界を遮られることがなく、食器のセット性を向上させることができる。
【００３５】
また、上扉体６に上扉体支持部２３を収納するカバー３７を設け、扉体５を閉じた時に上扉体支持部２３の本体１から突出する部分をカバー３７に収納可能に構成しているため、上扉体支持部２３と上扉体連動回動軸３４が本体外に露出しないので、埃やごみ等の異物が上扉体回動軸２５にかみこんだり、堆積することを防ぐことができ、扉体５を円滑に開閉することができる。
【００３６】
また、移動軸２７と移動溝２８も本体側面ボディ３８によって本体外に露出しない構成としているので、埃やごみ等の異物が移動軸２７と移動溝２８内に入り込むのを防ぐことができる。
【００３７】
また、下扉体７の回動に連動して上扉体６も回動する構成のため、扉体５の操作性および使い勝手を向上させることができる。
【００３８】
上扉体６は、洗浄槽２の開口部４を閉じたときに上方に位置する先端近傍部位の内面に下端から斜め後方に向けて横長に開口する開放部４２と、開放部４２の上方に内方に開口を有する溝４３を設け、その開放部４２の下部の一部を複数の穴４５で開口させて開放部４２および溝４３を覆うように蓋体４１を配設して上扉体６に取り付けている。そして、蓋体４１を上扉体６に取り付ける際に洗浄水に対するシール性を確保するために、上扉体６の溝４３に接着剤４４を塗布し取り付ける構成としている。また、扉体５の完全開放状態では、開放部４２を含む上扉体６の先端部は、本体１の頂部１７を通り越して背面側下方に回りこみ、開口部４を閉じた状態とは、上下が逆転し、開放部４２は上扉体６の下部に位置している。
【００３９】
したがって、洗浄途中に扉体５を開閉した時においても上扉体６の内面をつたって流れる水滴４６を蓋体に設けた穴４５より、上扉体６と蓋体４１によって構成された開放部４２内に取り込み、略円弧状の本体に水滴４６が垂れ、シンク６０に流れ落ちることを防止することができるため、本体１およびシンク６０を清潔に保てるとともに、製品の背面部に配設されている電源コード部（図示せず）への水滴４６付着をなくすため安全性を向上させることができる。また、開放部４２内に溜まった水滴４６は扉体５を閉じる時に本体１前部の開口部４より洗浄槽２内に戻るように配設されているため、扉体６開閉時に本体１への水滴４６落下を防止することができる。
【００４０】
また、開放部４２の外気に臨む前面の一部には、洗浄槽２内の空気を機外に排気する格子状の排気窓４０を配設しているので、排気時に排気窓４０の内面や開放部４２の内壁に結露した水滴も、扉体５の開放時に開放部４２内に溜め、扉体５の閉塞時に洗浄槽２内に戻すことができる。なお、排気窓４０の開放部４２前面への配設の有無にかかわらず、上扉体６の内面をつたって流れる水滴４６に対しては同様の作用、効果を得ることができる。
【００４１】
また、蓋体４１の上扉体６に設けた溝４３と対向する箇所には、ラビリンス構成になるように蓋体４１にリブ４８が配置したので、接着剤４４における上扉体６と蓋体４１との接着面積が増すことによりシール性を確保するとともに、接着剤４４の塗布のバラツキ（作業者および自動機に起因する）にかかわらず、ラビリンス構成により開放部４２に流れ込んだ水を漏らすことなく開放部４２に溜めておくことができるため、品質の向上をさせることができる。
【００４２】
また、上扉体６の溝４３のスペースを充分にとることが可能な場合には、ラビリンス構成を２層３層にすることにより接着剤４４の塗布をなくした状態においても上扉体６の開放部４２内に水滴を溜めておくことができ、同等の効果を得ることが可能となる。これにより、接着剤４４の塗布の廃止が可能となり設備および材料費のコストダウンをすることができる。
【００４３】
また、横長形状とした蓋体４１の左右両端部には、扉体５の開時に上扉体６と蓋体４１間の空間に水滴４６を流し込むリブ４７を他の部分の下端より長く延設しているので、運転終了後（洗浄やすすぎ行程）や運転途中（洗浄中など）に扉体５の開閉動作を行った場合、上扉体６に付着した水滴４６が上扉体６の壁をつたって上扉体６の先端方向に流れるため、蓋体４１に設けたリブ４７により水滴を受け止め、受け止めた水滴４６を上扉体６と蓋体４１で構成されて開放部４２内に流れ込むような構成をしているため、流れる水滴４６を効率よく上扉体６の開放部４２内に回収することができ、本体１への水滴４６落下を防止することができる。
【産業上の利用可能性】
【００４４】
以上のように、本発明の食器洗い機は、食器カゴへの食器等のセットと取り出しを容易にすることができるとともに、扉体開閉時に扉体をつたって流れる水滴を蓋体の穴より開口部内に取り込み、略円弧状の本体に水滴が垂れることを防止し、水滴が本体をつたってシンクにたどり着かないため、本体およびシンクを清潔に保つとともに、製品の背面部に配設されている電源コード部への水滴付着をなくし安全性を向上させた食器洗い機として有用である。
【図面の簡単な説明】
【００４５】
【図１】本発明の実施の形態１における食器洗い機の側断面図
【図２】同食器洗い機の扉体の開閉構成を示す部分側断面図
【図３】同食器洗い機をキッチンに縦置き設置し、開口部を開いた時の側断面図
【図４】同食器洗い機の開口部を閉じた時の部分側断面図
【図５】（ａ）同食器洗い機の扉体閉時の上扉体と本体の位置関係および上扉体と蓋体の取付け構成を示す要部断面図（ｂ）同食器洗い機の扉体開時の上扉体と蓋体の位置関係を示す要部断面図
【図６】同食器洗い機の上扉体の背面図
【図７】同食器洗い機の上扉体と蓋体の要部断面図
【図８】（ａ）同食器洗い機の扉体閉時の上扉体の要部断面図（ｂ）同食器洗い機の扉体開時の上扉体の要部断面図
【図９】従来の食器洗い機の側断面図
【符号の説明】
【００４６】
１    本体
１ａ  前面
１ｂ  背面
１ｃ  円弧状部
２    洗浄槽
３    食器カゴ
４    開口部
５    扉体
６    上扉体
７    下扉体
１７  頂部
１８  係合部
２３  上扉体支持部
３７  カバー（収納部）
３９  上端部
４１  蓋体
４２  開放部
４３  溝
４４  接着剤
【図１】
0004609367.tif 000002
【図２】
0004609367.tif 000003
【図３】
0004609367.tif 000004
【図４】
0004609367.tif 000005
【図５】
0004609367.tif 000006
【図６】
0004609367.tif 000007
【図７】
0004609367.tif 000008
【図８】
0004609367.tif 000009
【図９】
0004609367.tif 000010